(57)【要約】【課題】会員側の利便性を向上させることにより購買意欲を増加させ、競技施行団体側のシステムの負荷を軽減させ、競技施行団体の売上を向上させることができるキャッシュレス投票を支援する投票支援方法を提供することである。【解決手段】上記の問題点を解決するために、ネットワークを介して投票会員により行われる競技への投票を支援する投票支援方法であって、投票会員側端末により投票会員の口座から競技実施側の口座への振込要求情報を受信する第１受信手順と、振込要求情報に基づいて第１振込情報を生成する第１生成手順と、第１生成手順により生成された第１振込情報に基づいて、競技実施側の口座番号を含まない振込確認情報を投票会員側端末に提供する提供手順と、提供手順による振込確認情報に応じて投票会員側端末から送信された確認情報に基づいて、振込処理を受け付ける受付処理手順とを有する。【選択図】　　　　図１
2004054795.tif 000002
【特許請求の範囲】
【請求項１】
ネットワークを介して投票会員により行われる競技への投票を支援する投票支援方法であって、
投票会員側端末により上記投票会員の口座から上記競技実施側の口座への振込要求情報を受信する第１受信手順と、
上記振込要求情報に基づいて第１振込情報を生成する第１生成手順と、
上記第１生成手順により生成された上記第１振込情報に基づいて、上記競技実施側の口座番号を含まない振込確認情報を上記投票会員側端末に提供する提供手順と、
上記提供手順による上記振込確認情報に応じて上記投票会員側端末から送信された確認情報に基づいて、振込処理を受け付ける受付処理手順とを有することを特徴とする投票支援方法。
【請求項２】
上記受付処理手順は、上記第１生成手順により生成された第１振込情報を、上記投票会員の口座から上記競技実施側の口座への振込を行う銀行システムに送信する振込情報送信手順と、
上記銀行システムにより上記第１振込情報に基づいて振り込まれた振込結果情報を受信する振込結果情報受信手順と、
上記振込結果情報受信手順により受信した上記振込結果情報を、投票会員の口座情報を更新する競技実施側システムに送信する振込結果情報送信手順とを有することを特徴とする請求項１記載の投票支援方法。
【請求項３】
上記受付処理手順は、上記競技実施側システムから上記投票会員の口座情報を更新した更新結果情報を受信する更新結果情報受信手順と、
上記更新結果情報受信手順により受信した更新結果情報に基づいて振込完了情報を上記投票会員側端末に送信する振込完了情報送信手順とを有することを特徴とする請求項２記載の投票支援方法。
【請求項４】
更に、上記投票会員側端末により送信された上記競技実施側の口座から上記投票会員の口座への払戻要求情報を受信する第２受信手順と、
上記払戻要求情報に基づいて第２振込情報を生成する第２生成手順とを有することを特徴とする請求項１乃至３いずれか一項記載の投票支援方法。
【請求項５】
上記第２受信手順は、投票中又は競技中に上記払戻要求情報を受信することを特徴とする請求項４記載の投票支援方法。
【発明の詳細な説明】
【０００１】
【発明の属する技術分野】
本発明は投票支援方法に係り、特に、現金を用いることなく、顧客により競馬や競輪、オートレース、競艇等の公営競技への投票及びその投票に基づいた払い戻しを支援するための投票支援方法に関する。
【０００２】
【従来の技術】
現在、顧客は、競技施行団体によって行われる競馬や競輪、オートレース、競艇等の公営競技での投票を行う場合、それぞれの競技が行われている開催地に出向いて行っている。顧客がその開催地で現金を用いて投票を行い、競技終了後に投票が的中した場合、顧客は直接窓口に行って現金の払戻を行う。また、顧客が開催地に出向くことなく投票及び払戻を行う、即ち、現金を用いることなく投票及び払戻を行うために、インターネット及び携帯電話を用いてキャッシュレス投票及び払戻を行う方法がある。顧客は、このキャッシュレス投票サービスの会員に登録することにより、キャッシュレス投票及び払戻を行うことができる。
【０００３】
【発明が解決しようとする課題】
しかしながら、上記キャッシュレス投票及び払戻の会員に登録する際、各顧客が投票するための資金や払戻金を出納するための専用の口座を開設しなければならならず、手間が煩雑であるという問題点があった。
【０００４】
このようなキャッシュレス投票の専用口座を開設する点で、会員は既に口座を持っていても、他の専用口座を開設しなければならず、また、口座を開設するには顧客の認証などを行わなければならないため、実際に使用するまでに時間がかかるという問題点があった。また、会員は投票を行う前に口座に投票資金を入金しなければならず、また、投票中に資金が不足した場合に、追加して資金を入金することができないという問題点があった。また、会員は投票中や競技終了後すぐに資金の残高を参照することや、残高を使用することができない。従って、キャッシュレス投票の専用口座を開設する点で利便性に欠けるという問題点があった。
【０００５】
また、キャッシュレス投票の専用口座を開設する点で、競技施行団体において上記のような会員側の問題点により会員の投票の購買意欲が減退してしまい、投票売上が減少するという問題点があった。また、競技施行団体側のシステムにおいて、例えば、１年に数回しか投票を行わない会員の専用口座の残高情報を開催日毎に競技施行団体側のシステムに反映させなければならず、競技施行団体側のシステムの負荷が増大してしまうという問題点があった。
【０００６】
そこで、本発明の課題は、会員側の利便性を向上させることにより購買意欲を増加させると共に、競技施行団体側のシステムの負荷を軽減させ、競技施行団体の売上を向上させることができるキャッシュレス投票を支援する投票支援方法を提供することである。
【０００７】
【課題を解決するための手段】
上記の課題を解決するため、本発明は、ネットワークを介して投票会員により行われる競技への投票を支援する投票支援方法であって、投票会員側端末により上記投票会員の口座から上記競技実施側の口座への振込要求情報を受信する第１受信手順と、上記振込要求情報に基づいて第１振込情報を生成する第１生成手順と、上記第１生成手順により生成された上記第１振込情報に基づいて、上記競技実施側の口座番号を含まない振込確認情報を上記投票会員側端末に提供する提供手順と、上記提供手順による上記振込確認情報に応じて上記投票会員側端末から送信された確認情報に基づいて、振込処理を受け付ける受付処理手順とを有する構成とされる。
【０００８】
このような投票支援方法では、ネットワークを介して投票会員側端末により投票会員の口座から競技実施側の口座への振込要求情報を受信し、振込要求情報に基づいて第１振込情報を生成し、第１振込情報に基づいて、競技実施側の口座番号を含まない振込確認情報を投票会員側端末に提供し、振込確認情報に応じて投票会員側端末から送信された確認情報に基づいて、振込処理を受け付けることにより、会員側のキャッシュレス投票に関する利便性を向上させ、会員の購買意欲を増加させることができると共に、競技施行団体側のシステムの負荷を軽減させ、競技施行団体の売上を向上させることができる。
【０００９】
また、上記課題を解決するため、本発明は、上記投票支援方法による処理をコンピュータに行なわせるためのプログラム及びそのプログラムを記録した記録媒体とすることもできる。
【００１０】
【発明の実施の形態】
以下、本発明の実施の形態を図面に基づいて説明する。
【００１１】
図１は、本発明の第１実施例に係る投票支援方法におけるシステム構成図である。図１において、投票支援方法におけるネット投票支援システム１０は、インターネット等のネットワーク１を介して、キャッシュレス投票及び払戻を支援するネット投票支援サーバ２０と、複数の会員により所有され、会員がキャッシュレス投票及び払戻を行う会員側端末３０と、キャッシュレス投票及び払戻に関する口座情報を管理するネット銀行システム４０と、キャッシュレス投票及び払戻処理に関する処理を行うセンターシステム５０等で構成されるシステムである。
【００１２】
ネット投票支援サーバ２０は、主に、投票支援処理に係る処理を実行するプログラムをインストールするインストーラ１１と、データの表示を制御する表示制御処理部１２と、データ通信を制御する通信制御処理部１３と、データの入出力を制御する入出力制御処理部１４と、会員側端末３０からのキャッシュレス投票の会員の登録処理を行う登録処理部２１と、会員側端末３０からセンターシステムの専用口座に投票資金を振り込む処理を行う振込処理部２２と、会員側端末３０からの投票情報をセンターシステム５０に送信する投票処理部２３と、振込情報を生成して会員側端末３０に送信する振込情報生成処理部２４と、競技終了後に一括して払戻処理を行う一括払戻処理部２５と、投票中及び競技中など随時に払戻処理を行う随時払戻処理部２６と、振込処理部２２及び一括払戻処理部２５及び随時払戻処理部２６の処理結果を会員側端末３０に通知する結果通知処理部２７とを有する。
【００１３】
表示制御処理部１２は、ディスプレイ等の表示ユニットを有し、表示用データを制御して該表示ユニットに表示させる。通信制御処理部１３は、送受信データを制御する通信ユニットを有する。入出力制御処理部１４は、マウス、キーボード等の入力ユニット及びプリンタ等の入出力ユニットを制御する。インストーラ１１は、コンピュータが読み取り可能で、本発明の各実施例に係る投票支援方法を実現するためのプログラムが記録された記録媒体６０から該プログラムを読み出し、その読み出されたプログラムを、例えば、ネット投票支援サーバ２０内に設けられた補助記憶装置等にインストールする。そして、後述される投票支援方法における処理が起動されると、補助記憶装置にインストールされた当該プログラムに従って、ＣＰＵがその処理を開始する。
【００１４】
登録処理部２１は、会員側端末３０からのキャッシュレス投票の会員登録の要求に基づいて、ネット銀行システム４０に口座開設の依頼を行い、センターシステム５０に登録結果を通知するなどの処理を行う。振込処理部２２は、会員側端末３０からの振込要求を受信して振込確認情報を会員側端末３０に送信し、会員側端末３０から確認情報を受信する。
【００１５】
振込情報生成処理部２４は、会員番号をキーにセンターシステム５０から受信した会員の口座情報、センターシステム専用口座情報等を有する振込情報を生成する。尚、振込処理部２２は、振込先であるセンターシステム専用口座情報（口座番号等）を含まない振込確認情報を会員側端末３０に送信する。また、振込処理部２２は、会員側端末３０からの確認情報に基づいて、振込情報生成処理部２４により生成された振込情報をネット銀行システム４０に送信し、ネット銀行システム４０から振込結果情報を受信すると共に、振込結果情報をセンターシステム５０に送信する。
【００１６】
投票処理部２３は、会員側端末３０からの投票情報をセンターシステム５０に送信する。一括払戻処理部２５は、会員側端末３０からの一括払戻要求に基づいて、ネット銀行システム４０及びセンターシステム５０に競技終了後に一括払戻処理を要求する。随時払戻処理部２６は、会員側端末３０からの随時払戻要求に基づいて、ネット銀行システム４０及びセンターシステム５０に随時に払戻処理を要求する。結果通知処理部２７は、センターシステム５０の投票会員情報ＤＢ５３の投票会員情報に基づいて、振込処理部２２及び一括払戻処理部２５及び随時払戻処理部２６の処理結果を会員側端末３０に通知する。
【００１７】
ネット銀行システム４０は、主に、ネット投票支援サーバ２０に振込情報を提供する提供処理部４１と、ネット投票支援サーバ２０からの振込要求に基づいて振込決済処理を行う振込決済処理部４２と、ネット投票支援サーバ２０に振込結果を送信する通知処理部４３と、会員及びセンターシステムの口座情報を管理する口座情報ＤＢ４４とを有する。
【００１８】
センターシステム５０は、ネット投票支援サーバ２０からの投票情報に基づいて投票処理を行う投票処理部５１と、ネット投票支援サーバ２０からの払戻情報に基づいて投票の払戻処理を行う払戻処理部５２と、会員番号、連絡先情報、口座番号、残高情報、投票履歴情報等の投票会員情報を管理する投票会員情報ＤＢ５３とを有する。投票会員情報ＤＢ５３に格納される投票会員情報については、図２４で詳細に説明する。
【００１９】
次に、上記投票支援システム１０における振込処理及び投票処理について説明する。
【００２０】
図２は、振込処理及び投票処理の手順を説明するための図である。先ず、会員側端末３０は、ネット投票支援サーバ２０へ振込要求を送信する（ステップＳ１）。ネット投票支援サーバ２０の振込処理部２２は、振込要求に基づいてネット銀行システム４０の振込情報提供処理部４１から会員の口座番号等の振込情報を取得する（ステップＳ２）。ネット投票支援サーバ２０の振込処理部２２は、振込情報生成処理部２４により生成された振込情報を会員側端末３０に送信する（ステップＳ３）。また、ネット投票支援サーバ２０の振込処理部２２は、会員側端末３０からの振込確認情報を受信し（ステップＳ４）、ネット銀行システム４０に振込要求を送信する（ステップＳ５）。ネット銀行システム４０の振込決済処理部４２は、振込要求に基づいて会員口座からセンターシステム口座に投票資金を振り込み、ネット投票支援サーバ２０に振込内容を通知する（ステップＳ６）。ネット投票支援サーバ２０の振込処理部２２は、センターシステム５０に振込内容を送信し、センターシステム５０の投票処理部５１では、投票会員情報ＤＢ５３の投票会員情報の口座残高を更新する（ステップＳ７）。ネット投票支援サーバ２０の結果通知処理部２７は、会員側端末３０に振込完了を通知する（ステップＳ８）。会員側端末３０は、投票情報をネット投票支援サーバ２０に送信し、ネット投票支援サーバ２０の投票処理部５１ではセンターシステム５０に投票情報が送信される（ステップＳ９）。
【００２１】
次に、上記振込処理及び投票処理で会員側端末３０に表示される画面例について説明する。
【００２２】
図３は、振込処理及び投票処理において会員側端末に表示される画面例を示す図である。図３（Ａ）〜図３（Ｄ）は、ネット投票支援サーバ２０から送信され、会員側端末３０に表示される画面を示している。図３（Ａ）に示す投票関連サイト画面３００には、「（１）振込画面」３０１、「（２）投票画面」３０２、「（３）払戻画面」３０３などの項目が表示される。「（１）振込画面」３０１が選択されると、図３（Ｂ）に示す振込画面３０５が表示される。図３（Ｂ）に示す振込画面３０５には、会員番号の入力部３０６と、振込金額の入力部３０７と、ＯＫボタン３０８とが表示される。例えば、入力部３０６に会員番号「１２３４５６」と、入力部３０７に振込金額「１００，０００」とを入力し、ＯＫボタン３０８を選択すると、図３（Ｃ）に示す振込確認画面３１０が表示される。
【００２３】
図３（Ｃ）に示す振込確認画面３１０には、氏名の表示部３１１と、会員番号の表示部３１２と、振込先の表示部３１３と、振込金額の表示部３１４と、ＯＫボタン３１５とが表示される。例えば、表示部３１１〜３１４に表示された内容を確認し、ＯＫボタン３１５を選択すると、図３（Ｄ）に示す受付通知画面３２０が表示される。図３（Ｄ）に示す受付通知画面３２０には、会員の要求に対応する振込を受け付けた旨、振込完了通知がメールで届く旨及び連絡先のメールアドレスなどが表示される。
【００２４】
図４は、振込完了通知メールの表示例を示す図である。図４は、ネット投票支援サーバ２０から会員側端末３０に送信される電子メールの内容を示している。図４に示す表示画面３２１には、専用口座に所定の金額の振込が完了し、投票可能に設定された旨、連絡先のメールアドレスなどが表示される。
【００２５】
図５は、投票処理において会員側端末に表示される画面例を示す図である。図５（Ａ）、図５（Ｂ）は、ネット投票支援サーバ２０から送信され、会員側端末３０に表示される画面を示している。図５（Ａ）に示す投票画面３２５は、図３（Ａ）に示す投票関連サイト画面３００の「（２）投票画面」３０２が選択されると、表示される画面である。図５（Ａ）に示す投票画面３２５には、開催地の入力部３２６と、レース番号の入力部３２７と、競技の識別の入力部３２８と、投票番号の入力部３２９と、投票金額の投票金額３３０と、ＯＫボタン３３１とが表示される。例えば、入力部３２６に開催地「中山３回１日」と、入力部３２７にレース番号「１１Ｒ」と、入力部３２８に識別「馬連」と、入力部３２９に投票番号「５−８」と、投票金額の投票金額３３０とを入力し、ＯＫボタン３３１を選択すると、図５（Ｂ）に示す投票受付通知画面３３５が表示される。図５（Ｂ）に示す投票受付通知画面３３５には、図５（Ａ）に示す投票画面３２５で入力した投票情報を受け付けた旨及び連絡先のメールアドレスなどが表示される。
【００２６】
次に、ネット投票支援サーバ２０、ネット銀行システム４０、センターシステム５０での振込処理における手順について説明する。
【００２７】
図６は、ネット投票支援サーバで行われる振込処理のフローチャートを示す図である。図６において、先ず、ステップＳ１０の処理で、ネット投票支援サーバ２０の振込処理部２２は、会員側端末３０に投票関連画面を提供する。ステップＳ１１の処理で、ネット投票支援サーバ２０の振込処理部２２は、会員側端末３０から会員番号と振込金額の情報を受信したか、即ち、振込要求を受信したか否かを判断する。ステップＳ１１の処理で振込要求を受信していない場合、ステップＳ１０の処理を繰り返す。ステップＳ１１の処理で振込要求を受信した場合、ステップＳ１２の処理でネット投票支援サーバ２０の振込処理部２２は、ネット銀行システム４０から振込情報を取得する。ステップＳ１３の処理で、ネット投票支援サーバ２０の振込処理部２２は、会員側端末３０へ振込情報画面を提供する。即ち、ネット投票支援サーバ２０の振込情報生成処理部２４は、取得した振込情報に基づいて振込情報画面を生成し、振込処理部２２により振込情報画面が会員側端末３０に提供される。
【００２８】
ステップＳ１４の処理で、ネット投票支援サーバ２０の振込処理部２２は、会員側端末３０から振込内容が確認された後に送信された振込確認情報を取得する。ステップＳ１５の処理で、ネット投票支援サーバ２０の振込処理部２２は、会員側端末３０からの振込確認情報を受信すると、会員側端末３０に振込処理の受付完了画面を提供する。
【００２９】
次に、ステップＳ１２の処理でネット投票支援サーバ２０に振込情報を提供するネット銀行システム４０での処理を説明する。
【００３０】
図７は、ネット銀行システムで行われる振込処理のフローチャートを示す図である。図７において、ステップＳ２０の処理で、ネット銀行システム４０の振込情報提供処理部４１は、ネット投票支援サーバ２０からの情報要求に基づいて、ネット投票支援サーバ２０に振込情報を提供する。ステップＳ２１の処理で、ネット銀行システム４０の振込情報提供処理部４１は、ネット投票支援サーバ２０からの振込処理を受け付ける。ステップＳ２２の処理で、ネット銀行システム４０の振込決済処理部４２は振込処理を実行する。ステップＳ２３の処理で、ネット銀行システム４０の通知処理部４３は、ネット投票支援サーバ２０へ振込処理結果を通知する。
【００３１】
次に、ステップＳ２３の処理で、振込処理結果が通知された後のネット投票支援サーバ２０での処理を以下に説明する。
【００３２】
図８は、ネット投票支援サーバで行われる振込処理のフローチャートを示す図である。図８において、ステップＳ２５の処理で、ネット投票支援サーバ２０の振込処理部２２は、振込処理結果を受信したか否かを判断する。ステップＳ２５の処理で振込処理結果を受信していない場合、ステップＳ２５の処理を繰り返す。ステップＳ２５の処理で振込処理結果を受信した場合、ステップＳ２６の処理でネット投票支援サーバ２０の振込処理部２２は、通知された振込処理結果に基づいて、センターシステム５０へ該当会員の口座残高の更新及び該当会員の検索の依頼を要求する。ステップＳ２７の処理で、ネット投票支援サーバ２０の振込処理部２２は、センターシステム５０から該当会員の口座残高の更新処理結果及び連絡先情報を受信する。ステップＳ２８の処理で、ネット投票支援サーバ２０の結果通知処理部２７は、連絡先情報に基づいて更新処理結果を会員側端末３０に通知する。
【００３３】
次に、ステップＳ２６の処理で、該当会員の口座残高情報の更新及び検索依頼が通知された後のセンターシステム５０での処理を以下に説明する。
【００３４】
図９は、センターシステムで行われる振込処理のフローチャートを示す図である。図９において、ステップＳ３０の処理で、センターシステム５０の振込処理部５１は、ネット投票支援サーバ２０から通知された振込処理結果に基づいて、該当会員を検索する。ステップＳ３１の処理で、センターシステム５０の振込処理部５１は、投票会員情報ＤＢ５３に格納された投票会員情報の該当会員の口座残高を更新する。ステップＳ３２の処理で、センターシステム５０の振込処理部５１は、投票会員情報に基づいて該当会員の更新処理結果及び連絡先情報をネット投票支援サーバ２０へ通知する。
【００３５】
次に、会員側端末３０により設定され、競技終了後に会員に一括して払戻を行う一括払戻処理について説明する。
【００３６】
図１０は、一括払戻処理の手順を説明するための図である。図１０において、先ず、センターシステム５０の払戻処理部５２は、競技終了後、全会員の一括払戻情報を生成し、ネット投票支援サーバ２０に送信する（ステップＳ１）。ネット投票支援サーバ２０の一括払戻処理部２５は、受信した一括払戻情報をネット銀行システム４０に送信する（ステップＳ２）。ネット銀行システム４０の振込決済処理部４２は、受信した一括払戻情報に基づいて、該当する各会員の口座に一括振込処理を行い、一括振込内容をネット投票支援サーバ２０に送信する（ステップＳ３）。ネット投票支援サーバ２０の結果通知処理部２７は、一括振込内容に基づいて会員側端末３０に一括振込完了を通知する（ステップＳ４）。
【００３７】
次に、上記一括払戻処理で会員側端末３０に表示される画面例について説明する。
【００３８】
図１１は、一括払戻処理において会員側端末に表示される画面例を示す図である。図１１（Ａ）、図１１（Ｂ）は、ネット投票支援サーバ２０から送信され、会員側端末３０に表示される画面を示している。図１１（Ａ）に示す払戻画面３４０は、図３（Ａ）に示す「（３）払戻画面」３０３の項目が選択されると、表示される画面である。図１１（Ａ）に示す払戻画面３４０には、「１．一括払戻設定」３４１、「２．随時払戻画面」３４２の項目が表示される。「１．一括払戻画面」３４１の項目が選択されると、ネット投票支援サーバ２０に一括払戻設定情報が送信され、一括払戻が設定される。
【００３９】
図１１（Ｂ）に示す一括払戻完了画面３４３は、ネット投票支援サーバ２０で一括払戻が設定された後に、表示される画面である。一括払戻完了画面３４３は、競技終了後に一括払戻を行う設定が完了した旨及び連絡先のメールアドレスなどが表示される。
【００４０】
次に、ネット投票支援サーバ２０、ネット銀行システム４０、センターシステム５０での一括払戻処理における手順について説明する。
【００４１】
図１２は、センターシステムで行われる一括払戻処理のフローチャートを示す図である。図１２において、先ず、ステップＳ３５の処理で、センターシステム５０の払戻処理部５２は、ネット投票支援サーバ２０での一括払戻設定に基づいて全会員分の一括払戻（振込）情報を生成する。ステップＳ３６の処理で、センターシステム５０の払戻処理部５２は、生成した一括払戻情報をネット投票支援サーバ２０に送信する。
【００４２】
次に、ステップＳ３６の処理で、一括払戻情報を受信した後のネット投票支援サーバ２０での処理を以下に説明する。
【００４３】
図１３は、ネット投票支援サーバで行われる一括払戻処理のフローチャートを示す図である。図１３において、ステップＳ３７の処理で、ネット投票支援サーバ２０の一括払戻処理部２５は、全会員分の一括払戻情報をセンターシステム５０から受信する。ステップＳ３８の処理で、ネット投票支援サーバ２０の一括払戻処理部２５は、受信した一括払戻情報をネット銀行システム４０に送信する。
【００４４】
次に、ステップＳ３８の処理で一括払戻情報を受信した後のネット銀行システム４０での処理を説明する。
【００４５】
図１４は、ネット銀行システムで行われる一括払戻処理のフローチャートを示す図である。図１４において、ステップＳ４０の処理で、ネット銀行システム４０の振込決済処理部４２は、全会員分の一括払戻情報をネット投票支援サーバ２０から受信する。ステップＳ４１の処理で、ネット銀行システム４０の振込決済処理部４２は、一括払戻情報に基づいて一括振込処理を受け付ける。ステップＳ４２の処理で、ネット銀行システム４０の振込決済処理部４２は、一括払戻情報に基づいて、各会員の口座に一括振込処理を行う。ステップＳ４３の処理で、ネット銀行システム４０の通知処理部４３は、ネット投票支援サーバ２０に一括振込処理結果を送信する。
【００４６】
次に、ステップＳ４３の処理で、一括払戻処理結果を受信した後のネット投票支援サーバ２０での処理を以下に説明する。
【００４７】
図１５は、ネット投票支援サーバで行われる一括払戻処理のフローチャートを示す図である。図１５において、ステップＳ４５の処理で、ネット投票支援サーバ２０の一括払戻処理部２５は、振込処理結果が受信されたか否かを判断する。ステップＳ４５の処理で振込処理結果が受信されていない場合、ステップＳ４５の処理を繰り返す。ステップＳ４５の処理で振込処理結果が受信された場合、ステップＳ４６の処理で、ネット投票支援サーバ２０の一括払戻処理部２５は、振込処理結果に基づいて、センターシステム５０へ該当会員の口座残高情報の本更新及び該当会員の検索の依頼を要求する。ステップＳ４７の処理で、ネット投票支援サーバ２０の一括払戻処理部２５は、センターシステム５０から該当会員の口座残高の本更新処理結果及び該当会員の連絡先情報を受信する。ステップＳ４８の処理で、ネット投票支援サーバ２０の結果通知処理部２７は、連絡先情報に基づいて本更新処理結果を会員側端末３０に通知する。
【００４８】
次に、ステップＳ４６の処理で、該当会員の口座残高情報の更新及び検索依頼が通知された後のセンターシステム５０での処理を以下に説明する。
【００４９】
図１６は、センターシステムで行われる一括払戻処理のフローチャートを示す図である。図１６において、ステップＳ５０の処理で、センターシステム５０の払戻処理部５２は、ネット投票支援サーバ２０から該当会員の口座残高情報の更新及び検索依頼を受信する。ステップＳ５１の処理で、センターシステム５０の払戻処理部５２は、投票会員情報ＤＢ５３に格納された投票会員情報の該当会員の口座残高を更新し、該当会員の連絡先情報を検索する。ステップＳ５２の処理で、センターシステム５０の払戻処理部５２は、投票会員情報に基づいて該当会員の更新処理結果及び連絡先情報をネット投票支援サーバ２０へ通知する。
【００５０】
次に、投票中及び競技中に会員側端末３０からの随時払戻要求に応じて、払戻を行う随時払戻処理について説明する。
【００５１】
図１７は、随時払戻処理の手順を説明するための図である。図１７において、先ず、会員側端末３０では、投票中及び競技中にネット投票支援サーバ２０に払戻要求を行う（ステップＳ１）。ネット投票支援サーバ２０の随時払戻処理部２６は、払戻要求に基づいて、会員番号をキーにセンターシステム５０へ口座情報の問合せを行う（ステップＳ２）。センターシステム５０の払戻処理部５２は、該当する投票会員情報ＤＢ５３の投票会員情報の口座残高を仮更新し、仮更新結果をネット投票支援サーバ２０へ送信する（ステップＳ３）。ネット投票支援サーバ２０の随時払戻処理部２６は、仮更新結果をネット銀行システム４０に送信する（ステップＳ４）。ネット銀行システム４０の振込決済処理部４２は、仮更新結果に基づいてセンターシステム口座から会員口座に払戻を行い、ネット投票支援サーバ２０に払戻内容を通知する（ステップＳ５）。ネット投票支援サーバ２０の結果通知処理部２７は、センターシステム５０に払戻内容を通知する（ステップＳ６）。センターシステム５０の払戻処理部５２は、払戻内容に基づいて該当する投票会員情報ＤＢ５３の投票会員情報の口座残高を本更新し、本更新結果をネット投票支援サーバ２０へ送信する（ステップＳ７）。ネット投票支援サーバ２０の結果通知処理部２７は、払戻内容に基づいて会員側端末３０に払戻完了を通知する（ステップＳ８）。
【００５２】
次に、上記随時払戻処理で会員側端末３０に表示される画面例について説明する。
【００５３】
図１８は、随時払戻処理において会員側端末に表示される画面例を示す図である。図１８（Ａ）〜図１８（Ｃ）は、ネット投票支援サーバ２０から送信され、会員側端末３０に表示される画面を示している。図１８（Ａ）に示す随時払戻画面３５０は、図１１（Ａ）に示す「２．随時払戻画面」３４２の項目が選択されると、表示される画面である。図１８（Ａ）に示す随時払戻画面３５０には、会員番号の入力部３５１と、払戻金額の入力部３５２と、ＯＫボタン３５３とが表示される。例えば、入力部３５１に会員番号「１２３４５６」と、入力部３５２に払戻金額「７０，０００」を入力し、ＯＫボタン３５３を選択すると、図１８（Ｂ）に示す振込確認画面３５５が表示される。
【００５４】
図１８（Ｂ）に示す振込確認画面３５５には、氏名の表示部３５６と、会員番号の表示部３５７と、振込金額の表示部３５８と、ＯＫボタン３５９とが表示される。例えば、表示部３５６〜３５８に表示された内容を確認し、ＯＫボタン３５９を選択すると、図１８（Ｃ）に示す随時払戻受付画面３６０が表示される。図１８（Ｃ）に示す随時払戻受付画面３６０には、会員の要求に対応する払戻を受け付けた旨、払戻終了通知がメールで届く旨及び連絡先のメールアドレスなどが表示される。
【００５５】
次に、ネット投票支援サーバ２０、ネット銀行システム４０、センターシステム５０での随時払戻処理における手順について説明する。
【００５６】
図１９は、ネット投票支援サーバで行われる随時払戻処理のフローチャートを示す図である。図１９において、先ず、ステップＳ６０の処理で、ネット投票支援サーバ２０の随時払戻処理部２６は、会員側端末３０に投票関連画面を提供する。ステップＳ６１の処理で、ネット投票支援サーバ２０の随時払戻処理部２６は、会員側端末３０から会員番号と払戻金額の情報を受信したか、即ち、随時払戻要求を受信したか否かを判断する。ステップＳ６１の処理で随時払戻要求を受信していない場合、ステップＳ６０の処理を繰り返す。ステップＳ６１の処理で随時払戻要求を受信した場合、ステップＳ６２の処理でネット投票支援サーバ２０の随時払戻処理部２６は、ネット銀行システム４０から随時払戻情報を取得する。ステップＳ６３の処理で、ネット投票支援サーバ２０の随時払戻処理部２６は、会員側端末３０へ随時払戻情報画面を提供する。即ち、ネット投票支援サーバ２０の振込情報生成処理部２４は、取得した情報に基づいて随時払戻情報画面を生成し、随時払戻処理部２６により随時払戻情報画面が会員側端末３０に提供される。
【００５７】
ステップＳ６４の処理で、ネット投票支援サーバ２０の随時払戻処理部２６は、受信した会員番号と払戻金額の情報をセンターシステム５０に送信する。ステップＳ６５の処理で、ネット投票支援サーバ２０の随時払戻処理部２６は、センターシステム５０から該当会員番号の口座情報を受信する。ステップＳ６６の処理で、ネット投票支援サーバ２０の随時払戻処理部２６は、ネット銀行システム４０へ払戻金額の振込（専用口座から会員口座への払戻）を依頼する。ステップＳ６７の処理で、ネット投票支援サーバ２０の随時払戻処理部２６は、会員側端末３０随時払戻処理の受付完了画面を提供する。
【００５８】
次に、ステップＳ６４の処理で、会員番号と払戻金額の情報が送信された後のセンターシステム５０での処理を説明する。
【００５９】
図２０は、センターシステムで行われる随時払戻処理のフローチャートを示す図である。図２０において、ステップＳ６８の処理で、センターシステム５０の払戻処理部５２は、ネット投票支援サーバ２０から受信した会員番号に基づいて、該当会員の口座情報（金融機関、名義、口座番号等）を検索する。ステップＳ６９の処理で、センターシステム５０の払戻処理部５２は、該当会員の口座情報の残高を仮更新する。ステップＳ７０の処理で、センターシステム５０の払戻処理部５２は、仮更新結果をネット投票支援サーバ２０に送信する。
【００６０】
次に、ステップＳ６６の処理でネット投票支援サーバ２０から払戻金額の振込を依頼を受信した後のネット銀行システム４０での処理を説明する。
【００６１】
図２１は、ネット銀行システムで行われる随時払戻処理のフローチャートを示す図である。図２１において、ステップＳ８０の処理で、ネット銀行システム４０の振込決済処理部４２は、ネット投票支援サーバ２０から受信した該当会員の振込依頼情報に基づいて払戻処理を受け付ける。ステップＳ８１の処理で、ネット銀行システム４０の振込決済処理部４２は、振込依頼情報に基づいて、各会員の口座に払戻処理を行う。ステップＳ８２の処理で、ネット銀行システム４０の通知処理部４３は、ネット投票支援サーバ２０に払戻処理結果を送信する。
【００６２】
次に、ステップＳ８２の処理で、払戻処理結果が通知された後のネット投票支援サーバ２０での処理を以下に説明する。
【００６３】
図２２は、ネット投票支援サーバで行われる随時払戻処理のフローチャートを示す図である。図２２において、ステップＳ７１の処理で、ネット投票支援サーバ２０の随時払戻処理部２６は、払戻処理結果を受信したか否かを判断する。ステップＳ７１の処理で払戻処理結果を受信していない場合、ステップＳ７１の処理を繰り返す。ステップＳ７１の処理で払戻処理結果を受信した場合、ステップＳ７２の処理でネット投票支援サーバ２０の随時払戻処理部２６は、払戻処理結果に基づいて、センターシステム５０へ該当会員の口座残高の本更新及び該当会員の連絡先情報の検索依頼を要求する。ステップＳ７３の処理で、ネット投票支援サーバ２０の随時払戻処理部２６は、センターシステム５０から該当会員の口座残高の本更新処理結果及び連絡先情報を受信する。ステップＳ７４の処理で、ネット投票支援サーバ２０の結果通知処理部２７は、連絡先情報に基づいて本更新処理結果を会員側端末３０に通知する。
【００６４】
次に、ステップＳ７２の処理で、該当会員の口座残高情報の本更新及び検索依頼が通知された後のセンターシステム５０での処理を以下に説明する。
【００６５】
図２３は、センターシステムで行われる随時払戻処理のフローチャートを示す図である。図２３において、ステップＳ７５の処理で、センターシステム５０の振込処理部５１は、ネット投票支援サーバ２０から該当会員の口座残高の本更新及び該当会員の連絡先情報の検索依頼を受信する。ステップＳ７６の処理で、センターシステム５０の振込処理部５１は、投票会員情報ＤＢ５３に格納された投票会員情報の該当会員の口座残高を本更新し、該当会員の連絡先情報を検索する。ステップＳ７７の処理で、センターシステム５０の払戻処理部５２は、投票会員情報に基づいて該当会員の本更新処理結果及び連絡先情報をネット投票支援サーバ２０へ通知する。
【００６６】
次に、センターシステム５０の投票会員情報ＤＢ５３に格納される投票会員情報について説明する。
【００６７】
図２４は、センターシステムの投票会員情報ＤＢに格納されたテーブルを示す図である。図２４に示す投票会員情報ＤＢ５３に格納されるテーブル５３０には、会員番号、連絡先情報（住所、電話番号、メールアドレス）、口座情報（金融機関コード、名義、口座番号）、残高情報（最新残高（本更新）、更新中残高（仮更新））、投票履歴（履歴１〜Ｎ）などが格納されている。
【００６８】
例えば、会員「競馬太郎」、振込金額「１００，０００（円）」の振込要求に基づいて、ネット投票支援サーバ２０の振込処理部２２が振込処理を行う場合、センターシステム５０の投票処理部５１によりテーブル５３０の残高情報の最新残高が１００，０００に更新される。また、会員「競馬太郎」から一括払戻が設定され、ネット投票支援サーバ２０の一括払戻処理部２５が一括払戻処理を行う場合、センターシステム５０の払戻処理部５２により履歴情報に基づいて、テーブル５３０の残高情報の最新残高が更新される。また、会員「競馬太郎」からの随時払戻要求に基づいて、ネット投票支援サーバ２０の随時払戻処理部２６が随時払戻処理を行う場合、センターシステム５０の払戻処理部５２により履歴情報に基づいて、テーブル５３０の残高情報の更新中残高（＋１００００）が仮更新され、ネット銀行システム４０により会員口座に払戻が完了した時に更新中残高（＋１００００）に基づいて最新残高が本更新される。
【００６９】
このように、上記投票支援方法において、会員がキャッシュレス投票の投票資金を会員口座から専用口座に振り込む場合、会員番号と振込金額を入力するのみでネット投票支援サーバに振込要求することができるため、振込処理を簡略化することができる。また、ネット投票支援サーバによりセンターシステムの専用口座番号を外部に漏らすことなく振込処理を行うことができる。また、金融機関に投票専用の口座を開設することなく、ネットワークを介して他の目的でも使用可能なネット銀行の口座へ振込処理及び払戻処理を行うことができる。
【００７０】
また、上記投票支援方法において、会員はキャッシュレス投票の投票中及び競技中、口座残金が残り少なくなったときに、随時に払戻を要求することができる。従って、キャッシュレス投票を効率的に行うことができる。
【００７１】
また、ネット投票支援サーバにより振込処理及び払戻処理を行うことにより、ネット銀行システムで会員情報を管理する必要がなくなり、センターシステム側での振込依頼の処理等を行う必要がなくなる。従って、ネット銀行システム及びセンターシステムでの負荷を軽減させることができる。
【００７２】
従って、上記投票支援方法は、キャッシュレス投票にかかる口座振込手数料を削減することができるなど、付加価値の高いキャッシュレス投票を行うことができ、会員のキャッシュレス投票に対する満足度を向上させることができると共に、投票売上増大の効果を得ることができる。
【００７３】
尚、上記投票支援方法において、会員側端末に該等会員の口座残高を表示させることも可能である。
【００７４】
尚、センターシステムで設定された所定期間の経過後に、キャッシュレス投票の一括払戻を行うことも可能である。
【００７５】
以下に付記を記す。
（付記１）　ネットワークを介して投票会員により行われる競技への投票を支援する投票支援方法であって、
投票会員側端末により上記投票会員の口座から上記競技実施側の口座への振込要求情報を受信する第１受信手順と、
上記振込要求情報に基づいて第１振込情報を生成する第１生成手順と、
上記第１生成手順により生成された上記第１振込情報に基づいて、上記競技実施側の口座番号を含まない振込確認情報を上記投票会員側端末に提供する提供手順と、
上記提供手順による上記振込確認情報に応じて上記投票会員側端末から送信された確認情報に基づいて、振込処理を受け付ける受付処理手順とを有することを特徴とする投票支援方法。
（付記２）　上記受付処理手順は、上記第１生成手順により生成された第１振込情報を、上記投票会員の口座から上記競技実施側の口座への振込を行う銀行システムに送信する振込情報送信手順と、
上記銀行システムにより上記第１振込情報に基づいて振り込まれた振込結果情報を受信する振込結果情報受信手順と、
上記振込結果情報受信手順により受信した上記振込結果情報を、投票会員の口座情報を更新する競技実施側システムに送信する振込結果情報送信手順とを有することを特徴とする付記１記載の投票支援方法。
（付記３）　上記受付処理手順は、上記競技実施側システムから上記投票会員の口座情報を更新した更新結果情報を受信する更新結果情報受信手順と、
上記更新結果情報受信手順により受信した更新結果情報に基づいて振込完了情報を上記投票会員側端末に送信する振込完了情報送信手順とを有することを特徴とする付記２記載の投票支援方法。
（付記４）　更に、上記投票会員側端末により送信された上記競技実施側の口座から上記投票会員の口座への払戻要求情報を受信する第２受信手順と、
上記払戻要求情報に基づいて第２振込情報を生成する第２生成手順とを有することを特徴とする付記１乃至３いずれか一項記載の投票支援方法。
（付記５）　上記第２生成手順は、上記払戻要求情報の投票会員番号に基づいて、投票会員の口座情報を仮更新する競技実施側システムから仮更新口座情報を取得する取得手順を有し、
上記取得手順により取得した上記仮更新口座情報と上記振込要求情報とに基づいて振込情報を生成することを特徴とする付記４記載の投票支援方法。
（付記６）　上記受付処理手順は、上記第２生成手順により生成された第２振込情報を、上記競技実施側の口座から上記投票会員の口座への振込を行う銀行システムに送信する振込情報送信手順と、
上記銀行システムにより上記振込情報に基づいて振り込まれた振込結果情報を受信する振込結果情報受信手順と、
上記振込結果情報受信手順により受信した上記振込結果情報を、上記投票会員の口座情報を本更新する競技実施側システムに送信する振込結果情報送信手順とを有することを特徴とする付記５記載の投票支援方法。
（付記７）　上記受付処理手順は、上記競技実施側システムから上記投票会員の口座情報の本更新結果情報を受信する本更新結果情報受信手順と、
上記本更新結果情報受信手順により受信した本更新結果情報に基づいて振込完了情報を上記投票会員側端末に送信する振込完了情報送信手順とを有することを特徴とする付記６記載の投票支援方法。
（付記８）　上記第１受信手順は、投票中又は競技中に上記振込要求情報を受信することを特徴とする付記１乃至７いずれか一項記載の投票支援方法。
（付記９）　上記第２受信手順は、投票中又は競技中に上記払戻要求情報を受信することを特徴とする付記４乃至７いずれか一項記載の投票支援方法。
（付記１０）　更に、競技終了後に上記競技実施側システムから上記競技実施側の口座から上記投票会員の口座への一括払戻要求情報を受信する一括払戻情報受信手順と、
上記銀行システムに一括払戻要求情報を送信する一括払戻要求情報送信手順と、
上記銀行システムにより上記一括払戻要求情報に基づいて振り込まれた振込結果情報を受信する振込結果情報受信手順と、
上記振込結果情報受信手順により受信した上記振込結果情報に基づいて振込完了情報を上記投票会員側端末に送信する振込完了情報送信手順とを有することを特徴とする付記１乃至９いずれか一項記載の投票支援方法。
（付記１１）　ネットワークを介して投票会員により行われる競技への投票を支援する投票支援方法における処理をコンピュータに行なわせるためのプログラムであって、
投票会員側端末により上記投票会員の口座から上記競技実施側の口座への振込要求情報を受信する第１受信手順と、
上記振込要求情報に基づいて第１振込情報を生成する第１生成手順と、
上記第１生成手順により生成された上記第１振込情報に基づいて、上記競技実施側の口座番号を含まない振込確認情報を上記投票会員側端末に提供する提供手順と、
上記提供手順による上記振込確認情報に応じて上記投票会員側端末から送信された確認情報に基づいて、振込処理を受け付ける受付処理手順とを有することを特徴とするプログラム。
（付記１２）　ネットワークを介して投票会員により行われる競技への投票を支援する投票支援方法における処理をコンピュータに行なわせるためのプログラムを格納した記憶媒体であって、
投票会員側端末により上記投票会員の口座から上記競技実施側の口座への振込要求情報を受信する第１受信手順と、
上記振込要求情報に基づいて第１振込情報を生成する第１生成手順と、
上記第１生成手順により生成された上記第１振込情報に基づいて、上記競技実施側の口座番号を含まない振込確認情報を上記投票会員側端末に提供する提供手順と、
上記提供手順による上記振込確認情報に応じて上記投票会員側端末から送信された確認情報に基づいて、振込処理を受け付ける受付処理手順とを有することを特徴とするプログラムを格納した記憶媒体。
【００７６】
【発明の効果】
上述の如く本発明によれば、ネットワークを介して投票会員側端末により投票会員の口座から競技実施側の口座への振込要求情報を受信し、振込要求情報に基づいて第１振込情報を生成し、第１振込情報に基づいて、競技実施側の口座番号を含まない振込確認情報を投票会員側端末に提供し、振込確認情報に応じて投票会員側端末から送信された確認情報に基づいて、振込処理を受け付けることにより、会員側のキャッシュレス投票に関する利便性を向上させ、会員の購買意欲を増加させることができると共に、競技施行団体側のシステムの負荷を軽減させ、競技施行団体の売上を向上させることができる。
【図面の簡単な説明】
【図１】本発明の第１実施例に係る投票支援方法におけるシステム構成図である。
【図２】振込処理及び投票処理の手順を説明するための図である。
【図３】振込処理及び投票処理において会員側端末に表示される画面例を示す図である。
【図４】振込完了通知メールの表示例を示す図である。
【図５】投票処理において会員側端末に表示される画面例を示す図である。
【図６】ネット投票支援サーバで行われる振込処理のフローチャートを示す図である。
【図７】ネット銀行システムで行われる振込処理のフローチャートを示す図である。
【図８】ネット投票支援サーバで行われる振込処理のフローチャートを示す図である。
【図９】センターシステムで行われる振込処理のフローチャートを示す図である。
【図１０】一括払戻処理の手順を説明するための図である。
【図１１】一括払戻処理において会員側端末に表示される画面例を示す図である。
【図１２】センターシステムで行われる一括払戻処理のフローチャートを示す図である。
【図１３】ネット投票支援サーバで行われる一括払戻処理のフローチャートを示す図である。
【図１４】ネット銀行システムで行われる一括払戻処理のフローチャートを示す図である。
【図１５】ネット投票支援サーバで行われる一括払戻処理のフローチャートを示す図である。
【図１６】センターシステムで行われる一括払戻処理のフローチャートを示す図である。
【図１７】随時払戻処理の手順を説明するための図である。
【図１８】随時払戻処理において会員側端末に表示される画面例を示す図である。
【図１９】ネット投票支援サーバで行われる随時払戻処理のフローチャートを示す図である。
【図２０】センターシステムで行われる随時払戻処理のフローチャートを示す図である。
【図２１】ネット銀行システムで行われる随時払戻処理のフローチャートを示す図である。
【図２２】ネット投票支援サーバで行われる随時払戻処理のフローチャートを示す図である。
【図２３】センターシステムで行われる随時払戻処理のフローチャートを示す図である。
【図２４】センターシステムの投票会員情報ＤＢに格納されたテーブルを示す図である。
【符号の説明】
１　　　　ネットワーク
１０　　　ネット投票支援システム
１１　　　インストーラ
１２　　　表示制御処理部
１３　　　通信制御処理部
１４　　　入出力制御処理部
２０　　　ネット投票支援サーバ
２１　　　登録処理部
２２　　　振込処理部
２３　　　投票処理部
２４　　　振込情報生成処理部
２５　　　一括払戻処理部
２６　　　随時払戻処理部
２７　　　結果通知処理部
３０　　　会員側端末
４０　　　ネット銀行システム
４１　　　振込情報提供処理部
４２　　　振込決済処理部
４３　　　通知処理部
４４　　　口座情報ＤＢ
５０　　　センターシステム
５１　　　投票処理部
５２　　　払戻処理部
５３　　　投票会員情報ＤＢ
６０　　　記録媒体
【図１】
2004054795.tif 000003
【図２】
2004054795.tif 000004
【図３】
2004054795.tif 000005
【図４】
2004054795.tif 000006
【図５】
2004054795.tif 000007
【図６】
2004054795.tif 000008
【図７】
2004054795.tif 000009
【図８】
2004054795.tif 000010
【図９】
2004054795.tif 000011
【図１０】
2004054795.tif 000012
【図１１】
2004054795.tif 000013
【図１２】
2004054795.tif 000014
【図１３】
2004054795.tif 000015
【図１４】
2004054795.tif 000016
【図１５】
2004054795.tif 000017
【図１６】
2004054795.tif 000018
【図１７】
2004054795.tif 000019
【図１８】
2004054795.tif 000020
【図１９】
2004054795.tif 000021
【図２０】
2004054795.tif 000022
【図２１】
2004054795.tif 000023
【図２２】
2004054795.tif 000024
【図２３】
2004054795.tif 000025
【図２４】
2004054795.tif 000026